(57)【要約】【課題】簡素な構成でありながら、フィードモータによって光ディスクのクランプ動作及びトレイ開閉動作の駆動を行えるようにする。【解決手段】フィードモータ５によって回転駆動されるフィード用ギア６１及びトレイ駆動ギア１０と、フィード用ギア６１と噛合って内周方向Ｂ１に駆動されるラック部材４と、ラック部材４に駆動されてスライドするプレートトリガ８と、プレートトリガ８と連動してスライドするカムスライダ９とを備える。カムスライダは９、プレートトリガ８と連動してスライドされてラック９３と噛合ったトレイ駆動ギア１０によってＣ１方向に駆動され、カムスライダ９のボス９２がトレイ２のカム溝２２，２３の傾斜部２５を押し、トレイ２がスライドしてトレイ２のラック２７とトレイ駆動ギア１０とが噛合う。これにより、フィードモータ５によってトレイ２が開閉駆動される。【選択図】        図４
2004288333.tif 000002
【特許請求の範囲】
【請求項１】
装置本体に対してスライドして開閉自在に設けられ、開閉駆動力を受けるためのラックを有し、載置された光ディスクを装填するトレイと、
光ディスクにレーザ光を照射することにより、データを記録／再生する光ピックアップと、
光ピックアップを光ディスクの径方向にフィード駆動するためのフィードモータと、
このフィードモータによって回転駆動され、光ピックアップに設けられたラックと噛合って光ピックアップをフィード駆動するフィード用ギア、及び、前記トレイのラックと噛合ってトレイを開閉駆動するトレイ駆動ギアを含む複数のギアから成るギア列と、
前記光ピックアップ、フィードモータ、フィード用ギア、及び、光ピックアップのフィード動作から光ディスクのクランプ／アンクランプ動作への切替機構を搭載するドライブメカシャーシとを備えた光ディスク装置のトレイ駆動機構において、
プレート部材に駆動力を伝達するためのボスを有し、前記フィード用ギアと噛合い、光ディスクの内周方向に駆動されるラック部材と、
このラック部材が内周方向に駆動されたとき、前記ラック部材のボスと係合する斜面状のカム溝と、カムスライダに駆動力を伝達するためのボスとを有するプレート部材と、
装置本体のシャーシにスライド自在に支持され、前記プレート部材のボスをガイドすることにより、前記ドライブメカシャーシを昇降させて光ディスクをクランプ／アンクランプさせるカム溝、前記トレイをガイドするためのボス、及び、前記トレイ駆動ギアと噛合うラックを有するカムスライダとを備え、
前記トレイは、前記カムスライダのボスと係合し、該カムスライダのスライド移動に伴ってトレイを開閉方向に移動させるための傾斜面を含むカム溝を有し、
前記カムスライダは、前記ラック部材が内周方向に駆動されたとき、前記プレート部材と連動してスライド移動されて前記カムスライダのラックが前記トレイ駆動ギアと噛合い、これにより、該カムスライダの駆動が該プレート部材による駆動から該トレイ駆動ギアによる駆動に切り替わり、前記カムスライダのボスが前記トレイのカム溝の傾斜面を押し、前記トレイがスライド移動して前記トレイのラックと該トレイ駆動ギアとが噛合い、該トレイがフィードモータの駆動により開閉されるようにしたことを特徴とする光ディスク装置のトレイ駆動機構。
【請求項２】
前記ギア列は、互いの位相を合わせて組み込まれるギアを含んでいることを特徴とする請求項１に記載の光ディスク装置のトレイ駆動機構。
【請求項３】
前記プレート部材のカム溝には、光ピックアップのフィード方向に略直交する方向に延出され、トレイオープン動作時に前記ラック部材のボスのフィード方向への移動を規制するボス規制部が設けられ、
光ピックアップは、一端において光ピックアップと、他端において前記ラック部材とそれぞれ当接するバネ部材によって、内周方向に付勢されていることを特徴とする請求項１に記載の光ディスク装置のトレイ駆動機構。
【請求項４】
光ピックアップが最内周位置にあることを検出する最内周検出スイッチを有し、この最内周検出スイッチがオフされることにより、トレイクローズ動作の完了を検出することを特徴とする請求項１に記載の光ディスク装置のトレイ駆動機構。
【請求項５】
前記プレート部材は該プレート部材のスライド方向に直交する方向に弾性変形可能な板バネ部を有し、
前記ドライブメカシャーシは、前記ラック部材が前記フィード用ギアによって内周方向に駆動されて該フィード用ギアから離れた後、前記板バネ部と係合して該プレート部材のスライド移動を規制するストッパリブを有することを特徴とする請求項１に記載の光ディスク装置のトレイ駆動機構。
【請求項６】
前記プレート部材のカム溝には、光ピックアップのフィード方向に略直交する方向に延出され、トレイオープン動作時に前記ラック部材のボスのフィード方向への移動を規制するボス規制部が設けられていることを特徴とする請求項１に記載の光ディスク装置のトレイ駆動機構。
【請求項７】
前記プレート部材は、光ピックアップが電源オフ時の内周停止位置にあるとき、前記ラック部材のボスと当接し、該プレート部材のスライド移動を規制するリブ状の壁部を有することを特徴とする請求項１に記載の光ディスク装置のトレイ駆動機構。
【請求項８】
前記プレート部材は、該プレート部材のスライド方向に直交する方向に弾性変形可能な板バネ部を有し、前記ドライブメカシャーシは、光ディスクの記録／再生動作又はシーク動作時に該板バネ部が乗り上げて当接するストッパリブを有し、
光ディスクの記録／再生動作又はシーク動作時に、プレート部材の移動が防止されることを特徴とする請求項１に記載の光ディスク装置のトレイ駆動機構。
【請求項９】
前記プレート部材のカム溝には、光ピックアップのフィード方向に略直交する方向に延出され、トレイオープン動作時に前記ラック部材のボスのフィード方向への移動を規制するボス規制部が設けられ、
光ピックアップは、最内周位置にあるとき、前記ラック部材の一部と当接して光ピックアップのフィード方向への移動を規制するストッパ部を有することを特徴とする請求項１に記載の光ディスク装置のトレイ駆動機構。
【請求項１０】
前記プレート部材の先端には、前記ギア列を構成するギアの上方に位置し、該ギアと平面視で一部において重なるギア抜け止め板が形成されていることを特徴とする請求項１に記載の光ディスク装置のトレイ駆動機構。
【発明の詳細な説明】
【０００１】
【発明の属する技術分野】
本発明は、光ディスク装置のトレイ駆動機構に関するものである。
【０００２】
【従来の技術】
従来から、光ディスク装置では、製造コストの低減を図ることを目的として、光ピックアップを光ディスクの径方向にフィードするためのフィードモータによって、ディスククランプ動作の駆動及びトレイ開閉動作の駆動を行うように構成されたトレイ駆動機構が知られている（例えば、特許文献１及び特許文献２参照）。この特許文献１に示されたトレイ駆動機構は、光ピックアップの一端側に設けられたラックによって切替レバーが回転され、該切替レバーの回転によりスライド部材がスライド移動され、このときスライド部材に設けられているボスがトレイに設けられているカム溝を押すことにより、トレイが開方向に僅かにスライド移動され、このトレイのスライド移動によってトレイの裏面に設けられたラックがフィードモータから駆動力を伝達されたギアと噛合い、トレイがオープンされるものである。
【０００３】
また、上記特許文献２に示されたトレイ駆動機構は、フィードモータの出力を伝達するための複数のギアを連結支持するプレート部材がスライド移動されることにより、フィードモータの出力が光ピックアップ又はトレイ開閉用ギアのいずれかに伝達されるように構成されたものである。光ピックアップのフィードは、光ピックアップが係合しているリードスクリュを上記ギアによって伝達されたフィードモータの出力によって回転させることによってなされる。
【０００４】
【特許文献１】
特開２０００−１１５１１号公報
【特許文献２】
特開２０００−３３９８７７号公報
【０００５】
【発明が解決しようとする課題】
しかしながら、上記特許文献１に示されたトレイ駆動機構にあっては、光ピックアップに設けられたラックによって回転駆動される切替レバー及び切替レバーの回転によりスライド移動されるスライド部材等が必要とされ、構成が複雑となり、却って光ディスク装置の製造コストが高騰する。また、切替レバーを回転駆動するためのラックを光ピックアップの一端側に設けなければならないので光ピックアップの小型化を図ることができない。
【０００６】
また、上記特許文献２に示されたトレイ駆動機構にあっても、上記プレート部材及びこのプレート部材を駆動するための駆動機構等が必要とされ、構成が複雑となり、却って光ディスク装置の製造コストが高騰する。また、光ピックアップのフィード駆動するためのリードスクリューの製造にコストが掛かるので、光ディスク装置の製造コストを低減することができない。
【０００７】
本発明は、上述した問題点を解決するためになされたものであり、簡素な構成でありながら、フィードモータによって光ディスクのクランプ動作及びトレイ開閉動作の駆動を行えるようにして、光ディスク装置の製造コストの低減を図ることができるトレイ駆動機構を提供することを目的とする。
【０００８】
【課題を解決するための手段】
上記目的を達成するために請求項１の発明は、装置本体に対してスライドして開閉自在に設けられ、開閉駆動力を受けるためのラックを有し、載置された光ディスクを装填するトレイと、光ディスクにレーザ光を照射することにより、データを記録／再生する光ピックアップと、光ピックアップを光ディスクの径方向にフィード駆動するためのフィードモータと、このフィードモータによって回転駆動され、光ピックアップに設けられたラックと噛合って光ピックアップをフィード駆動するフィード用ギア、及び、トレイのラックと噛合ってトレイを開閉駆動するトレイ駆動ギアを含む複数のギアから成るギア列と、光ピックアップ、フィードモータ、フィード用ギア、及び、光ピックアップのフィード動作から光ディスクのクランプ／アンクランプ動作への切替機構を搭載するドライブメカシャーシとを備えた光ディスク装置のトレイ駆動機構において、プレート部材に駆動力を伝達するためのボスを有し、フィード用ギアと噛合い、光ディスクの内周方向に駆動されるラック部材と、このラック部材が内周方向に駆動されたとき、ラック部材のボスと係合する斜面状のカム溝と、カムスライダに駆動力を伝達するためのボスとを有するプレート部材と、装置本体のシャーシにスライド自在に支持され、プレート部材のボスをガイドすることにより、ドライブメカシャーシを昇降させて光ディスクをクランプ／アンクランプさせるカム溝、トレイをガイドするためのボス、及び、トレイ駆動ギアと噛合うラックを有するカムスライダとを備え、トレイは、カムスライダのボスと係合し、該カムスライダのスライド移動に伴ってトレイを開閉方向に移動させるための傾斜面を含むカム溝を有し、カムスライダは、ラック部材が内周方向に駆動されたとき、プレート部材と連動してスライド移動されてカムスライダのラックがトレイ駆動ギアと噛合い、これにより、カムスライダの駆動がプレート部材による駆動からトレイ駆動ギアによる駆動に切り替わり、カムスライダのボスがトレイのカム溝の傾斜面を押し、トレイがスライド移動してトレイのラックとトレイ駆動ギアとが噛合い、トレイがフィードモータの駆動により開閉されるようにしたものである。
【０００９】
この構成においては、フィード用モータの出力が、フィード用ギア、ラック部材、プレート部材を介してカムスライダに伝達され、カムスライダがスライド移動する。このカムスライダのスライド移動により、カムスライダのラックは、フィード用ギアから回転駆動力を伝達されているトレイ駆動ギアと噛合い、以後、トレイ駆動ギアによって駆動され、さらにスライド移動する。そして、カムスライダのボスがトレイのカム溝の傾斜面と当接して該傾斜面を押すことにより、トレイがスライド移動してトレイのラックとトレイ駆動ギアとが噛合い、以後、トレイが、トレイ駆動ギアによって開閉駆動される。これにより、フィードモータによって、トレイの開閉駆動を行うことができるようになる。
【００１０】
請求項２の発明は、請求項１に記載の光ディスク装置のトレイ駆動機構において、ギア列は、互いの位相を合わせて組み込まれるギアを含んでいるものである。この構成においては、ラック部材、プレート部材を介して駆動されてスライド移動するカムスライダと、ギア列を介して回転駆動されるトレイ駆動ギアとの同期をとることができる。これにより、カムスライダのラックとトレイ駆動ギアとの歯先干渉が回避される。
【００１１】
請求項３の発明は、請求項１に記載の光ディスク装置のトレイ駆動機構において、プレート部材のカム溝には、光ピックアップのフィード方向に略直交する方向に延出され、トレイオープン動作時にラック部材のボスのフィード方向への移動を規制するボス規制部が設けられ、光ピックアップは、一端において光ピックアップと、他端においてラック部材とそれぞれ当接するバネ部材によって、内周方向に付勢されているものである。この構成においては、トレイオープン時、内周方向に駆動されたラック部材は、ラック部材のボスとボス規制部との係合により、フィード方向への移動を規制される。さらに、光ピックアップは、バネ部材によって該ラック部材に対して内周方向に付勢されているので、光ピックアップは最内周位置で保持される。
【００１２】
請求項４の発明は、請求項１に記載の光ディスク装置のトレイ駆動機構において、光ピックアップが最内周位置にあることを検出する最内周検出スイッチを有し、この最内周検出スイッチがオフされることにより、トレイクローズ動作の完了を検出するものである。この構成においては、トレイオープン時に最内周位置にあった光ピックアップが、トレイクローズ時に外周方向に移動する。このとき、最内周検出スイッチがオフされることにより、トレイクローズ動作の完了が検出できる。
【００１３】
請求項５の発明は、請求項１に記載の光ディスク装置のトレイ駆動機構において、プレート部材は該プレート部材のスライド方向に直交する方向に弾性変形可能な板バネ部を有し、ドライブメカシャーシは、ラック部材がフィード用ギアによって内周方向に駆動されてフィード用ギアから離れた後、板バネ部と係合してプレート部材のスライド移動を規制するストッパリブを有するものである。この構成においては、トレイオープン動作時に、ラック部材がフィード用ギアによって内周方向に駆動されてフィード用ギアから離れた後、ストッパリブがプレート部材の板バネ部と係合して、プレート部材のスライド移動を規制する。これにより、プレート部材のカム溝と係合するボスを有するラック部材のフィード方向への移動が規制され、ラック部材とフィード用ギアとの歯先干渉が防止される。
【００１４】
請求項６の発明は、請求項１に記載の光ディスク装置のトレイ駆動機構において、プレート部材のカム溝には、光ピックアップのフィード方向に略直交する方向に延出され、トレイオープン動作時にラック部材のボスのフィード方向への移動を規制するボス規制部が設けられているものである。この構成においては、トレイオープン時、内周方向に駆動されたラック部材は、ラック部材のボスとボス規制部との係合により、フィード方向への移動が規制され、ラック部材とフィード用ギアとの歯先干渉が防止される。
【００１５】
請求項７の発明は、請求項１に記載の光ディスク装置のトレイ駆動機構において、プレート部材は、光ピックアップが電源オフ時の内周停止位置にあるとき、ラック部材のボスと当接し、プレート部材のスライド移動を規制するリブ状の壁部を有するものである。この構成においては、光ディスク装置の搬送時等、装置の電源がオフで光ピックアップが内周停止位置にあるとき、リブ状の壁部がラック部材のボスと当接してプレート部材のスライド移動を規制するため、光ディスク装置の搬送時に振動等を与えても、プレート部材は位置ずれしない。
【００１６】
請求項８の発明は、請求項１に記載の光ディスク装置のトレイ駆動機構において、プレート部材は、該プレート部材のスライド方向に直交する方向に弾性変形可能な板バネ部を有し、ドライブメカシャーシは、光ディスクの記録／再生動作又はシーク動作時に該板バネ部が乗り上げて当接するストッパリブを有し、光ディスクの記録／再生動作又はシーク動作時に、プレート部材の移動が防止されるものである。この構成においては、光ディスクの記録動作時等に、ストッパリブと板バネ部との当接により板バネ部に負荷が掛かる状態として、板バネ部とストッパリブとの間で摩擦力を発生させ、ラック部材のボスとの係合が解かれて移動可能な状態となっているプレート部材の移動を防止する。
【００１７】
請求項９の発明は、請求項１に記載の光ディスク装置のトレイ駆動機構において、プレート部材のカム溝には、光ピックアップのフィード方向に略直交する方向に延出され、トレイオープン動作時にラック部材のボスのフィード方向への移動を規制するボス規制部が設けられ、光ピックアップは、最内周位置にあるとき、ラック部材の一部と当接して光ピックアップのフィード方向への移動を規制するストッパ部を有するものである。この構成においては、トレイオープン時、内周方向に駆動されたラック部材は、ラック部材のボスとボス規制部との係合により、フィード方向への移動が規制される。そして、光ピックアップのストッパ部が、ラック部材の一部と当接するので、最内周位置にある光ピックアップのフィード方向への移動が防止される。
【００１８】
請求項１０の発明は、請求項１に記載の光ディスク装置のトレイ駆動機構において、プレート部材の先端には、ギア列を構成するギアの上方に位置し、ギアと平面視で一部において重なるギア抜け止め板が形成されているものである。この構成においては、ギア抜け止め板によって、ギアのドライブメカシャーシからの脱落が防止される。
【００１９】
【発明の実施の形態】
本発明の一実施形態によるトレイ駆動機構を備えた光ディスク装置について図面を参照して説明する。図１は光ディスク装置の外観を示している。光ディスク装置１００は、トレイ２に載置された光ディスクを装置内部にローディングし、ローディングされた光ディスクにレーザ光を照射して信号を記録／再生する装置である。光ディスクのローディング／アンローディングは、光ディスクが載置されたトレイ２をトレイ駆動機構により駆動し、開閉方向Ａにスライドさせることによりなされる。
【００２０】
図２は初期状態（電源オフ状態）におけるトレイ駆動機構を示している。トレイ駆動機構１は、光ピックアップ３をフィード駆動するフィードモータ５によってトレイ２を駆動し、開閉するための機構であり、光ディスクにレーザ光を照射して信号を記録／再生する光ピックアップ３と、フィードモータ５と、フィードモータ５によって回転駆動され、光ピックアップ３を駆動するフィード用ギア６１等の複数のギアから成るギア列６と、光ピックアップ３、フィードモータ５、フィード用ギア６１、及び光ディスクを回転駆動するターンテーブル（図示せず）等を搭載するドライブメカシャーシ７と、光ディスクをクランプ／アンクランプする際、ドライブメカシャーシ７を昇降させるためのプレートトリガ（プレート部材）８及びカムスライダ９等によって構成されている。光ピックアップ３、フィードモータ５、ギア列６、ドライブメカシャーシ７、プレートトリガ８及びカムスライダ９は、トレイ２の下方に配置されている。
【００２１】
トレイ２の上面側には光ディスクを載置するための凹部２１が、下面側にはカムスライダ９のボス９２と係合する一対のカム溝２２，２３及びトレイ駆動ギア１０と噛合わされるラック２７が設けられている。カム溝２２は、トレイ開閉方向Ａに直交する矢印Ｃ方向に形成された直交部２４と、カムスライダ９の矢印Ｃ方向へのスライドに伴ってボス９２に押され、トレイ２を開閉方向Ａに移動させるための傾斜部２５とによって構成されている。また、カム溝２３は直交部２４と、傾斜部２５と、傾斜部２５の終端からトレイ２の後端方向に延出された開閉ガイド部２６とによって構成されている。
【００２２】
光ピックアップ３は、レーザ光を出射する半導体レーザ、レーザ光を光ディスクの記録面に集光させる対物レンズ３１、光ディスクによって反射されたレーザ光を受光する受光素子、フィード用ギア６１と噛合うラック３２等を有しており、ガイドシャフト３３によってガイドされ、フィード用ギア６１（上段ギア６３）から駆動を受け、光ディスクの径方向（フィード方向Ｂ）にフィードされる。この光ピックアップ３のフィード方向Ｂは、トレイの開閉方向Ａと同一の方向とされる。
【００２３】
光ピックアップ３のラック３２の上部には、フィード用ギア６１の回転駆動力をフィード方向Ｂへのスライド駆動力に変換してプレートトリガ８に伝達するラック部材４が、光ピックアップ３に対してフィード方向Ｂにスライド自在に装着されている。ラック部材４は、ラック３２と重なり合って上段ギア６３と噛合うラック４１を有し、ラック３２及びラック４１とによってダブルラックが構成される。また、ラック部材４は、一端が光ピックアップ３に他端がラック部材４にそれぞれ当接するコイルバネ（バネ部材）４５によって光ピックアップ３に対して光ディスクの外周方向Ｂ２に付勢され、その反作用により、光ピックアップ３は内周方向Ｂ１に付勢される。これにより、フィード用ギア６１とラック３２及びラック４１との噛合わせのガタを少なくすることができ、光ピックアップ３を正確にフィードすることができる。また、ラック部材４の先端には、プレートトリガ８に駆動力を伝達するためのボス４３が形成されている。
【００２４】
フィードモータ５の出力軸には、ウォームギア５１が組み込まれており、フィードモータ５の出力はウォームギア５１を介してフィード用ギア６１に伝達される。フィード用ギア６１は、ウォームギア５１、ギア６３と噛合う下段ギア６２、及び、光ピックアップ３のラック３２、ラック部材４のラック４１と噛合う上段ギア６３を有している。
【００２５】
ギア列６は、フィード用ギア６１の他、ドライブメカシャーシ７に軸支されるギア６４，６７，６８，６９及び光ディスク装置のシャーシに軸支されるトレイ駆動ギア１０によって構成される。ギア６４はフィード用ギア６１と噛合う下段ギア６５、及び、ギア６７と噛合う上段ギア６６を有している。フィード用ギア６１及びギア６４には位相合わせのための位相マーク６０が刻印されており、両ギア６１，６４は互いの位相マーク６０を対向させた状態でドライブメカシャーシ７に組み込まれる。フィードモータ５の出力は、ウォームギア５１、フィード用ギア６１、ギア６４，６７，６８，６９、を順次介してトレイ駆動ギア１０に伝達される。トレイ駆動ギア１０は、カムスライダ９のラック９３と噛合う上段ギア１１、及び、トレイ２のラック２７と噛合う下段ギア１２を有している。
【００２６】
ドライブメカシャーシ７は、光ピックアップ３、フィードモータ５、フィード用ギア６１、ギア６４，６７，６８，６９、ターンテーブル及びターンテーブルを回転駆動するためのスピンドルモータを搭載し、光ピックアップ３を嵌挿するための開口７１と、光ディスク装置１００のシャーシと結合するための一対の軸部７２を有し、光ピックアップ３がフィード方向Ｂに移動（トラバース）する際の基台（トラバースベース）となる。軸部７２は、ドライブメカシャーシ７の一端側に形成され、光ディスク装置１００のシャーシから突設された支持片１５（図５（ａ）参照）によって回動自在に支持される。ドライブメカシャーシ７の他端側には、プレートトリガ８が矢印Ｃ方向にスライド自在に装着される。プレートトリガ８がカムスライダ９によって昇降駆動されることにより、ドライブメカシャーシ７が軸部７２を中心として回動し、これに伴い、軸部７２とプレートトリガ８との間に設置されたターンテーブルが昇降して光ディスクをクランプ／アンクランプする。
【００２７】
プレートトリガ８は、ラック部材４が内周方向Ｂ１に駆動されたとき、ラック部材４のボス４３と係合するカム溝８１と、カムスライダ９に駆動力を伝達するためのボス８２と、ギア６７，６８，６９の上方に位置し、ギア６７，６８，６９と平面視で一部において重なるギア抜け止め板８３とを有し、ドライブメカシャーシ７に装着され、トレイ開閉方向Ａと直交する矢印Ｃ方向にスライドする。カム溝８１は、図３に示されるように、ボス４３によって伝達された駆動力の方向を略９０゜変換するための斜面部８４と、斜面部８４の終端から光ピックアップ３のフィード方向Ｂに略直交する矢印Ｃ方向に延出され、ボス４３のフィード方向Ｂへの移動を規制するボス規制部８５とを有している。
【００２８】
カムスライダ９は、プレートトリガ８のボス８２と係合するカム溝９１（図５参照）と、トレイ２のカム溝２２，２３と係合してトレイ２をガイドする一対のボス９２と、トレイ駆動ギア１０の上段ギア１１と噛合うラック９３とを有し、光ディスク装置１００のシャーシに、矢印Ｃ方向にスライド自在に支持される。
【００２９】
上記のように構成されたトレイ駆動機構のトレイオープン動作について、図３及び図４を参照して説明する。図３において、（ａ）は光ディスクの再生／記録動作時、（ｂ）はトレイオープン動作の開始当初におけるトレイ駆動機構１を、それぞれトレイ２及びドライブメカシャーシ７等を省略して示している。光ディスクの再生／記録にあたっては、光ピックアップ３は、光ディスクの記録トラックの位置に合致するように、フィード用ギア６１によってフィード駆動される。このとき、ラック部材４も光ピックアップ３と共にフィード駆動され、ボス４３はカム溝８１から離脱している。また、カムスライダ９のラック９３はトレイ駆動ギア１０の上段ギア１１から離脱し、トレイ２のラック２７（図２参照）はトレイ駆動ギア１０の下段ギア１２から離脱している。
【００３０】
再生／記録動作が終了すると、フィード用ギア６１は矢印Ｄ方向に回転駆動され、これにより、光ピックアップ３及びラック部材４は内周方向Ｂ１にフィード駆動され、図２に示した初期状態に戻る。このときの光ピックアップ３の位置を内周停止位置とする。
【００３１】
トレイオープン動作が開始されると、図３（ｂ）に示されるように、フィード用ギア６１はさらに矢印Ｄ方向に回転駆動され、これにより、光ピックアップ３及びラック部材４は内周方向Ｂ１にフィード駆動されて光ピックアップ３のラック３２とフィード用ギア６１との噛合わせが解除され、ラック部材４のラック４１のみフィード用ギア６１と噛合う。このときの光ピックアップ３の位置を最内周位置とする。ラック部材４は、フィード用ギア６１によって内周方向Ｂ１に駆動され、ボス４３は、プレートトリガ８のカム溝８１に入り、カム溝８１の斜面部８４の側面を押し、プレートトリガ８を矢印Ｃ１方向にスライド駆動する。
【００３２】
プレートトリガ８のボス８２は、カムスライダ９のカム溝９１と係合しており、ラック部材４から付与されたスライド移動の駆動力をカムスライダ９に伝達する。これにより、カムスライダ９は、プレートトリガ８と連動して矢印Ｃ１方向にスライド移動し、ラック９３がトレイ駆動ギア１０と噛合い、カムスライダ９はプレートトリガ８及びトレイ駆動ギア１０によって駆動される。
【００３３】
さらに、フィード用ギア６１が矢印Ｄ方向に回転されると、図４に示した状態となる。この図４は、ドライブメカシャーシ７を省略して示している。図４において、ボス４３は、斜面部８４を通過してボス規制部８５に到達し、プレートトリガ８は停止する。この動作の途中で、ラック部材４のラック４１とフィード用ギア６１との噛合わせが解除され、カムスライダ９の駆動がプレートトリガ８による駆動からトレイ駆動ギア１０による駆動に切り替わる。また、ボス４３がボス規制部８５に到達することにより、ラック部材４のフィード方向Ｂへの移動が規制される。
【００３４】
トレイ駆動ギア１０に駆動されたカムスライダは矢印Ｃ１方向にスライド移動し、ボス９２が、トレイ２のカム溝２２，２３の傾斜部２５を通過し、このとき傾斜部２５の側面を押すことにより、トレイ２が開方向Ａ１にスライド移動し、ラック２７がトレイ駆動ギア１０の下段ギア１２と噛合う。以後、トレイ２は、トレイ駆動ギア１０によって駆動されてトレイ２が開方向Ａ１にスライド移動され、図１に示したトレイオープン状態となる。このとき、ボス９２は、トレイ２のカム溝２３の開閉ガイド部２６を走行し、トレイ２のスライド移動をガイドする。
【００３５】
トレイ２をクローズするには、フィードモータ５を逆回転させることにより、上述した動作とは逆の動作を行えばよい。このようにして、１つのモータ（フィードモータ５）の駆動によりトレイ２の開閉動作がなされる。
【００３６】
次に、トレイ２の開閉動作と共に行う光ディスクのアンクランプ／クランプ動作について説明する。光ディスクのアンクランプは、カムスライダ９がトレイ駆動ギア１０に駆動されてスライド移動することに伴って、ドライブメカシャーシ７を傾斜させることによってなされる。
【００３７】
図５はトレイクローズ時におけるトレイ駆動機構１を示している。図５（ａ）に示されるように、ドライブメカシャーシ７は、その一端側に形成されている軸部７２が光ディスク装置１００のシャーシに立設された支持片１５に支持されることにより光ディスク装置１００のシャーシに搭載され、他端側に装着されたプレートトリガ８のボスがカムスライダ９のカム溝９１にガイドされて昇降駆動されることにより、軸部７２を中心として矢印Ｅ方向に回動する。ドライブメカシャーシ７の軸部７２とプレートトリガ８との間には、光ディスクをトレイ２から持上げて回転させるためのターンテーブルが設置されており、ドライブメカシャーシ７の矢印Ｅ２方向への回動によって、ターンテーブルと光ディスク上方に位置するクランパとによって光ディスクを挟み込んでマグネット保持（チャッキング）する。
【００３８】
また、カムスライダ９は、光ディスク装置１００のシャーシに形成された支持部１６に摺動する摺動面９５と、プレートトリガ８と対向するように摺動面９５より起立された対向面９６とから成り、支持部１６に装着される。シャーシの支持部１６には、スライド移動時のカムスライダ９をガイドするためのガイド溝１７が形成されており、カムスライダ９の摺動面９５には、ガイド溝１７と係合する凸部９４が形成されている。
【００３９】
カムスライダ９の対向面９６には、図５（ｂ）に示されるように、傾斜部９７を有するカム溝９１が形成されている。プレートトリガ８のボス８２は、カム溝９１と係合し、カムスライダ９のＣ方向へのスライドに伴って傾斜部９７にガイドされて昇降する。
【００４０】
カムスライダ９の駆動がプレートトリガ８による駆動からトレイ駆動ギア１０による駆動に切り替わった後（図４参照）、カムスライダ９が、トレイ駆動ギア１０によって駆動されて矢印Ｃ１方向にスライド移動すると、ボス８２は傾斜部９７にガイドされて降下し、ドライブメカシャーシ７は矢印Ｅ１方向に回動して傾斜する。これに伴い、ターンテーブルが降下して光ディスクのクランプが解除される。
【００４１】
一方、光ディスクをクランプするには、フィードモータ５を逆回転させることにより、上述した動作とは逆の動作を行えばよい。トレイオープン状態におけるプレートトリガのボスの位置は８２ｂで示される。ここで、フィードモータ５を逆回転させると、カムスライダ９は矢印Ｃ２方向にスライド移動され、ボス８２は傾斜部９７にガイドされて上昇し、ドライブメカシャーシ７は矢印Ｅ２方向に回動する。これに伴い、ターンテーブルが上昇して光ディスクを持上げ、ターンテーブルとクランパとによって光ディスクが挟み込まれクランプされる。このようにして、フィードモータ５の駆動により光ディスクのアンクランプ／クランプがなされる。
【００４２】
図６は、初期状態におけるドライブメカシャーシ７のギア６４，６７，６８，６９を省略した平面図である。ドライブメカシャーシ７の開口７１の下方には、スピンドルモータを制御するための回路基板（図示せず）が設けられ、この回路基板には、光ピックアップ３の最内周位置に対応する位置に、光ピックアップ３の最内周検出スイッチ（図示せず）が実装されている。なお、この光ピックアップ３の最内周位置は、光ピックアップ３のフィード駆動時の基準位置とされる。
【００４３】
ドライブメカシャーシ７には、プレートトリガ８のスライド移動を規制するためのストッパリブ７３が形成されている。また、プレートトリガ８には、ストッパリブ７３との干渉を回避するための開孔８６が形成され、開孔８６の両端には、矢印Ｃ方向に直交する方向（Ｂ２方向）に弾性変形可能な板バネ部８７が渡されている。板バネ部８７の略中央には、ストッパリブ７３の軌道に突出してストッパリブ７３と係合する突出部８８（図６（ｂ）参照）が形成されている。
【００４４】
さらに、プレートトリガ８には、光ピックアップ３が初期状態の内周停止位置にあるとき、ラック部材４のボス４３と当接し、プレートトリガ８の矢印Ｃ１方向へのスライド移動を規制するリブ状の壁部８９が形成されている。
【００４５】
また、ラック部材４のコイルバネ４５近傍には、板バネ状の凸部４２が形成され、光ピックアップ３には、光ピックアップ３が最内周位置にあるとき、凸部４２と当接して光ピックアップ３のフィード方向Ｂ２への移動を規制するストッパ部３４が形成されている。
【００４６】
初期状態において、突出部８８は、図６に示されるように、ストッパリブ７３に乗り上げて当接している。この初期状態から光ディスクの記録／再生動作又はシーク動作に移行すると、光ピックアップ３及びラック部材４は、フィード用ギア６１によってフィード方向Ｂ２に駆動されるが、プレートトリガ８の位置は変わらず、突出部８８がストッパリブ７３に乗り上げて当接する状態が維持される。この両者の当接により、板バネ部８７には負荷が掛かり、突出部８８とストッパリブ７３との間で摩擦力が発生し、プレートトリガ８のスライド移動が防止される。
【００４７】
図７は、トレイオープン動作の途中であって、ラック部材４がフィード用ギア６１から離れた後におけるドライブメカシャーシ７のギア６４，６７，６８，６９を省略した平面図である。この状態にあっては、図６において、ストッパリブ７３に乗り上げていた板バネ部８７の突出部８８がプレートトリガ８のスライドに伴ってＣ１方向に移動し、ストッパリブ７３を乗り越えてストッパリブ７３の端部と係合する。この突出部８８とストッパリブ７３との係合によって、プレートトリガ８の矢印Ｃ２方向へのスライド移動が規制され、ラック部材４のフィード方向Ｂ２へのスライド移動が防止され、もって、ラック部材４のラック４１とフィード用ギア６１との接触が防止される。
【００４８】
上述したように、トレイ駆動機構１によれば、１つのフィードモータ５で光ピックアップ３のフィード駆動、光ディスクのクランプ駆動及びトレイ２の開閉駆動を行うことができ、光ディスク装置１００の製造コストの低減を図ることができる。しかも、トレイ２の開閉駆動に必要とされるラック部材４、プレートトリガ８及びカムスライダ９は、クランプ駆動に用いられる部品であるので、新たな部品を追加することなくトレイ２の開閉駆動を行うことができ、装置の構成がいたずらに複雑化することもない。
【００４９】
また、ギア列６を構成するギアのうち、トレイ駆動ギア６１とギア６４とは、互いの位相を合わせて組み込まれるので、カムスライダ９のスライドと、トレイ駆動ギア１０の回転の同期をとることができ、カムスライダ９のラック９３とトレイ駆動ギア１０との歯先干渉が回避され、もって、両歯先の損傷や、歯飛びの発生を防止することができる。
【００５０】
また、トレイオープン時、ラック部材４のボス４３とプレートトリガ８のボス規制部８５との係合によってラック部材４はフィード方向Ｂ２への移動が規制されるので、ラック部材４とフィード用ギア６１との歯先干渉が防止され、もって、両歯先の損傷や、歯飛びの発生を防止することができる。さらに、この状態で、光ピックアップ３は、バネ部材４５の付勢によってラック部材４に対して内周方向Ｂ１に付勢されているので、光ピックアップ３は最内周位置で保持され、光ピックアップ３のラック３２とフィード用ギア６１との歯先干渉が回避され、もって、両歯先の損傷や、歯飛びの発生を防止することができる。さらにまた、光ピックアップ３には、ラック部材４の凸部４２と当接するストッパ部３４を有しているので、凸部４２とストッパ部３４との当接により光ピックアップ３のフィード方向Ｂ２への移動が規制される。これにより、トレイオープン時の光ディスク装置１００に大きな衝撃が加わえられても、光ピックアップ３のラック３２とフィード用ギア６１との歯先干渉が回避され、両歯先の損傷や、歯飛びの発生を防止することができる。
【００５１】
また、ドライブメカシャーシ７の下方の回路基板に実装されている最内周検出スイッチがオフされることにより、トレイクローズ動作の完了を検出することができるので、光ディスク装置１００の構成が簡素となり、装置の製造コストの低減を図ることができる。
【００５２】
また、トレイオープン動作時に、ストッパリブ７３がプレートトリガ８の板バネ部８７の突出部８８と係合して、プレートトリガ８のスライド移動を規制するので、プレートトリガ８のカム溝８１と係合するボス４３を有するラック部材４のフィード方向Ｂ２への移動が規制され、ラック部材４とフィード用ギア６１との歯先干渉が回避され、もって、両歯先の損傷や、歯飛びの発生を防止することができる。
【００５３】
また、プレートトリガ８には、ラック部材４のボス４３と当接してプレートトリガ８のスライド移動を規制する壁部８９が設けられているので、光ディスク装置１００の電源がオフで光ピックアップ３が内周停止位置にあるときのプレートトリガ８の移動が防止され、装置搬送時に振動等を与えてもプレートトリガ８は位置ずれしない。
【００５４】
また、光ディスクの記録動作時等において、プレートトリガ８の板バネ部８７の突出部８８がストッパリブ７３に乗り上げて当接し、突出部８８とストッパリブ７３との間に摩擦力が発生するので、プレートトリガ８の移動が防止され、光ディスク装置１００に振動、衝撃等を与えてもプレートトリガ８を適正な位置で待機させることが可能となる。
【００５５】
また、プレートトリガ８の先端には、ギア列６を構成するギア６７，６８，６９と平面視で一部において重なるギア抜け止め板８３が形成されているので、ギア抜け止め用のリング等を各ギアの回転軸に装着する必要がなくなり、簡素な構成でドライブメカシャーシ７からのギアの脱落を防止することができ、装置の製造コストの低減を図ることができる。
【００５６】
なお、本発明は上記実施形態の構成に限られることなく種々の変形が可能であり、例えば、プレートトリガ８及びカムスライダ９の移動方向は、トレイ開閉方向Ａに略直交するＣ方向に限られることなく、トレイオープン動作の開始当初にドライブメカシャーシ７を傾斜させて光ディスクのクランプを解除すると共に、トレイ２のラック２７がトレイ駆動ギア１０と噛合う方向にトレイ２を移動させ得る方向であれば、特に限定されない。また、これに伴って、プレートトリガ８のカム溝８１、カムスライダ９のカム溝９１、トレイ２のカム溝２２，２３の構成も図２乃至図５に示した構成に限られることはなく、ラック部材４のスライド駆動力を適宜、方向転換して伝達できる構成であれば、特に限定されない。さらにまた、板バネ部８７の構成は、図６及び図７に示した構成に限られることなく、ストッパリブ７３と当接・係合可能な構成であれば、特に限定されない。
【００５７】
【発明の効果】
以上のように請求項１の発明によれば、光ディスクのクランプ動作に必要とされるラック部材、プレート部材及びカムスライダを用いることにより、トレイ開閉時にフィードモータの出力をトレイに伝達するように構成しているので、新たな部品を追加することなく、フィードモータによって光ディスクのクランプ駆動及びトレイ開閉駆動が行え、光ディスク装置の製造コストの低減を図ることができる。
【００５８】
請求項２の発明によれば、ギア列は、互いの位相を合わせて組み込まれるギアを含んでいるので、カムスライダのスライドと、トレイ駆動ギアの回転の同期をとることができ、カムスライダのラックとトレイ駆動ギアとの歯先干渉が回避され、もって、両歯先の損傷や、歯飛びの発生を防止することができる。
【００５９】
請求項３の発明によれば、ボスとボス規制部との係合によってラック部材はフィード方向への移動が規制され、バネ部材の付勢によって光ピックアップはラック部材に対して内周方向に付勢されているので、光ピックアップは最内周位置で保持され、光ピックアップのラックとフィード用ギアとの歯先干渉が回避され、もって、両歯先の損傷や、歯飛びの発生を防止することができる。
【００６０】
請求項４の発明によれば、光ピックアップが最内周位置にあることを検出する最内周検出スイッチがオフされることによってトレイクローズ動作の完了を検出できるので、光ディスク装置の構成が簡素となり、装置の製造コストの低減を図ることができる。
【００６１】
請求項５の発明によれば、トレイオープン動作時に、ストッパリブがプレート部材の板バネ部と係合して、プレート部材のスライド移動を規制するので、プレート部材のカム溝と係合するボスを有するラック部材のフィード方向への移動が規制され、ラック部材とフィード用ギアとの歯先干渉が回避され、もって、両歯先の損傷や、歯飛びの発生を防止することができる。
【００６２】
請求項６の発明によれば、トレイオープン時、ラック部材のボスがボス規制部に係合することにより、ラック部材のフィード方向への移動が規制されるので、ラック部材とフィード用ギアとの歯先干渉が防止され、もって、両歯先の損傷や、歯飛びの発生を防止することができる。
【００６３】
請求項７の発明によれば、プレート部材には、ラック部材のボスと当接してプレート部材のスライド移動を規制する壁部が設けられているので、光ディスク装置の電源がオフで光ピックアップが内周停止位置にあるときのプレート部材の移動が防止され、装置搬送時の振動等によりプレートトリガ８が位置ずれする虞がなくなる。
【００６４】
請求項８の発明によれば、光ディスクの記録動作時等において、板バネ部がストッパリブに乗り上げて当接し、板バネ部とストッパリブとの間に摩擦力が発生するので、プレート部材の移動が防止され、プレート部材を適正な位置でロックすることができる。
【００６５】
請求項９の発明によれば、ラック部材の一部とストッパ部との当接により光ピックアップのフィード方向への移動が規制されるので、トレイオープン時の光ディスク装置に大きな衝撃が加わえられても、光ピックアップのラックとフィード用ギアとの噛合いずれを防止することができる。
【００６６】
請求項１０の発明によれば、プレート部材の先端にギア抜け止め板が形成されているので、簡素な構成でありながら、ドライブメカシャーシからのギアの脱落を防止することができ、装置の製造コストの低減を図ることができる。
【図面の簡単な説明】
【図１】本発明の一実施形態によるトレイ駆動機構を備えた光ディスク装置の外観を示す斜視図。
【図２】同機構の初期状態（電源オフ状態）における平面図。
【図３】（ａ）は同機構の光ディスク再生動作状態を示す平面図、（ｂ）は同機構のトレイオープン動作に移行した当初状態を示す平面図。
【図４】同機構のトレイオープン動作の途中状態を示す平面図。
【図５】（ａ）はトレイクローズ時における同機構の構造を示す側断面図、（ｂ）は（ａ）における矢視Ｘ側面図。
【図６】（ａ）は同機構の初期状態におけるドライブメカシャーシの平面図、（ｂ）は（ａ）における同シャーシに装着されるプレートトリガの部分拡大図。
【図７】（ａ）はトレイオープン動作の途中状態における同シャーシの平面図、（ｂ）は（ａ）における同シャーシに装着されるプレートトリガの部分拡大図。
【符号の説明】
１    トレイ駆動機構
２    トレイ
３    光ピックアップ
４    ラック部材
５    フィードモータ
６    ギア列
７    ドライブメカシャーシ
８    プレートトリガ（プレート部材）
９    カムスライダ
１０    トレイ駆動ギア
２２，２３    カム溝
２７    ラック
３２    ラック
３４    ストッパ部
４３    ボス
４５    コイルバネ（バネ部材）
６１    フィード用ギア
７３    ストッパリブ
８１    カム溝
８２    ボス
８３    ギア抜け止め板
８５    ボス規制部
８７    板バネ部
８９    壁部
９１    カム溝
９２    ボス
９３    ラック
１００    光ディスク装置
【図１】
2004288333.tif 000003
【図２】
2004288333.tif 000004
【図３】
2004288333.tif 000005
【図４】
2004288333.tif 000006
【図５】
2004288333.tif 000007
【図６】
2004288333.tif 000008
【図７】
2004288333.tif 000009